(57)【特許請求の範囲】
【請求項１】
内容物を充填する内部空間を有し、該内部空間に通じる開口部を通して該内容物の出し入れを可能とする容器本体と、該容器本体にヒンジを介して回動可能に連結され前記開口部の開閉を行う蓋体とを備えた蓋付き容器であって、
前記蓋体に形成され、前記内部空間に通じ前記開口部に比べて少量の内容物の取出しを可能とする窓孔と、
前記蓋体にスライド可能に保持され、該蓋体に沿う進退移動によって前記窓孔を開閉するスライド蓋と、
前記スライド蓋に設けられ、前記窓孔の開放姿勢をもって前記容器本体の側壁に係合して前記蓋体の開放を阻止する係合部と、を備えることを特徴とする蓋付き容器。
【請求項２】
前記容器本体の側壁に、前記スライド蓋の移動する向きに沿って延びるとともに、前記スライド蓋の前記係合部と係合可能な被係合部を設けた、請求項１に記載の蓋付き容器。
【請求項３】
前記係合部は突起であり、前記被係合部は該突起に係合可能な溝である、請求項２に記載の蓋付き容器。
【請求項４】
前記スライド蓋に、前記蓋体を開ける際の指掛かりとなる出っ張りを設けた、請求項１〜３の何れか一項に記載の蓋付き容器。
【請求項５】
前記窓孔を前記蓋体の天壁に設けた、請求項１〜４の何れか一項に記載の蓋付き容器。
【発明の詳細な説明】
【技術分野】
【０００１】
この発明は、内容物を充填する内部空間を有し、該内部空間に通じる開口部を通して該内容物の出し入れを可能とする容器本体と、該容器本体にヒンジを介して回動可能に連結され上記開口部の開閉を行う蓋体とを備えた蓋付き容器に関するものである。
【背景技術】
【０００２】
従来、例えばガムや飴玉、錠剤等の内容物を充填する容器としては、例えば特許文献１に開示されるように、内容物を充填する内部空間を有する容器本体と、この容器本体にヒンジを介して連結された蓋体とを備える蓋付きのものが一般に流通しており、このような蓋付き容器では、ヒンジを基点とした蓋体の回動により容器本体の開口部を開放させることで、容器本体に充填された内容物の取出しが可能となっている。
【先行技術文献】
【特許文献】
【０００３】
【特許文献１】特開２００９−１０７６７０号公報
【発明の概要】
【発明が解決しようとする課題】
【０００４】
しかしながら、従来の蓋付き容器では、容器本体内の例えば粒状の内容物をある程度まとめて取り出そうとする場合には、蓋体を開けた後に容器本体自体を傾ければ良いので不自由はないが、内容物を少量（一粒ないし数粒）取り出そうとする場合にも同様に蓋体を開けて、しかも容器本体に形成された同一の開口部から手を入れて摘み出さなければならないため、内容物を簡単かつ素早く取り出すことができなかった。そのため内容物が小さくなればなるほど内容物をつまみ難くなるため少量の取出しがさらに煩雑なものとなる。
【０００５】
それゆえこの発明は、内容物を少量取り出す場合であっても、簡単かつ素早く取出し作業を行い得る蓋付き容器を提供することを目的とする。
【課題を解決するための手段】
【０００６】
この発明は上記課題を解決するためになされたものであり、この発明の蓋付き容器は、内容物を充填する内部空間を有し、該内部空間に通じる開口部を通して該内容物の出し入れを可能とする容器本体と、該容器本体にヒンジを介して回動可能に連結され上記開口部の開閉を行う蓋体とを備えた蓋付き容器であって、上記蓋体に形成され、上記内部空間に通じ上記開口部に比べて少量の内容物の取出しを可能とする窓孔と、上記蓋体にスライド可能に保持され、該蓋体に沿う進退移動によって上記窓孔を開閉するスライド蓋と、上記スライド蓋に設けられ、上記窓孔の開放姿勢をもって上記容器本体の側壁に係合して上記蓋体の開放を阻止する係合部と、を備えることを特徴とするものである。
【０００７】
かかる蓋付き容器にあっては、容器本体内の内容物をある程度まとめて取り出す場合には、従来と同様に蓋体を開けた後に容器本体自体を傾ければ良く、一方で内容物を少量取り出す場合には、蓋体に設けられたスライド蓋をスライド移動させることにより窓孔を開放し、容器を傾けることで当該窓孔を通じて内容物を取り出すことができる。
【０００８】
したがってこの発明の蓋付き容器によれば、窓孔を解放し容器を傾けるだけで内容物の取出しが可能となるので、簡単かつ素早く少量の取出し作業を行うことができる。また、窓孔が開放姿勢にある状態では、スライド蓋の係合部が容器本体の側壁と連係して蓋体の開放を阻止し、反対に窓孔が閉鎖姿勢にある状態では、係合部と容器本体の側壁との連係が解除されて容器本体の開口部を開放することができるので、すなわち、スライド蓋によって窓孔の開閉と蓋体のロックおよびその解除との両作業を行うことができるので、簡素な構造にて誤作動を確実に防ぐことができる。
【０００９】
なお、この発明の蓋付き容器にあっては、容器本体の側壁に、上記スライド蓋の移動する向きに沿って延びるとともに、上記スライド蓋の上記係合部と係合可能な被係合部を設けることが好ましく、これによれば、簡素な構造にて確実に係合部を容器本体の側壁に連係させることができる。
【００１０】
また、この発明の蓋付き容器にあっては、上記係合部を突起とし、上記被係合部を該突起に係合可能な溝とすることが好ましく、これによれば、簡素な構造にて確実に係合部を容器本体の側壁に連係させることができる。
【００１１】
さらに、この発明の蓋付き容器にあっては、上記スライド蓋に、上記蓋体を開ける際の指掛かりとなる出っ張りを設けることが好ましく、これによれば、スライド蓋を操作することによって、窓孔の開閉操作に加えて容器本体の開口部の開閉操作も行うことができるようになる。
【００１２】
しかも、この発明の蓋付き容器にあっては、上記窓孔を上記蓋体の天壁に設けることが好ましく、これによれば、窓孔を蓋体の周壁に形成した場合と比べて、内容物の充填時の嵩を大きく設定することが可能となるので、言い換えれば、同一量の内容物を充填するにあたって容器の高さを低くできるため、コンパクト化を図ることができる。
【発明の効果】
【００１３】
この発明によれば、内容物を少量取り出す場合であっても、簡単かつ素早く取出し作業を行い得る蓋付き容器を提供することができる。
【図面の簡単な説明】
【００１４】
【図１】図１は、この発明に従う一実施形態の蓋付き容器を示す斜視図であり、（ａ）はスライド蓋によって窓孔を閉じた状態を、（ｂ）はスライド蓋をスライドさせ窓孔を開放した状態を示すものである。
【図２】図１の蓋付き容器の背面側を示す斜視図である。
【図３】図１の蓋付き容器の蓋体を開放した状態を示す斜視図である。
【図４】図１の蓋付き容器の分解斜視図である。
【図５】（ａ）は図１（ａ）中のＡ−Ａ線に沿う断面図であり、（ｂ）は図１（ａ）中のＢ−Ｂ線に沿う断面図であり、（ｃ）は図１（ａ）中のＣ−Ｃ線に沿う断面図である。
【発明を実施するための形態】
【００１５】
以下、この発明を実施の形態に基づき図面を参照にして説明する。
【００１６】
この実施形態の蓋付き容器１は、図１（ａ）、（ｂ）に示すように、内側に内容物を充填する内部空間Ｓを区画する容器本体２と、この容器本体２の上部に配置されて、容器本体２の開口部を閉鎖する蓋体３を備えている。容器本体２と蓋体３とは、図２に示すように、背面側に配置されたヒンジ４を介して回動可能に連結されている。なお、以下、ヒンジ４が配置されている側を背面側としその反対側を前面側とする。
【００１７】
容器本体２は、図３に示すように、筒状をなす側壁２ａとこの側壁２ａの下端に連設されて該下端を閉塞する底壁２ｂとを有しており、上部に内部空間Ｓに通じる開口部を形成するものである。側壁２ａの上部には、容器１の下方に向けて部分的に切欠き部２ｃが形成されている。さらに、側壁２ａの上端部は薄肉に形成されるとともに、外周面に周方向に延びるリブ２ｄが形成されている。
【００１８】
蓋体３は、容器本体２に適合した状態にて容器本体２の側壁２ａの上端部を取り囲む周壁３ａと、この周壁３ａの上端に連設され略水平に延びる天壁３ｂとを有している。周壁３ａには、上記切欠き部２ｃに対応して容器本体２に向けて延出部３ａ１が形成されている。よって、延出部３ａ１は、蓋体３を閉じた状態にて容器本体２の切欠き部２ｃ内に収まる。周壁３ａの内周面には、周方向に延びて、容器本体２の側壁２ａに設けられた上記リブ２ｄとアンダーカット係合するリブ３ｃが形成されている。これにより、蓋体３を閉じた状態では、容器本体２側のリブ２ｄと蓋体３側のリブ３ｃとが係合して蓋体３が容器本体２に固定されるとともに、内部空間Ｓが密封される。なお、図示しないが、リブ２ｄまたはリブ３ｃのいずれか一方を溝に代えてリブが溝に嵌り込むことによって、蓋体３が容器本体２に固定されるようにしても良く、あるいは容器本体２の側壁２ａの外周面または蓋体３の周壁３ａの内周面のいずれか一方に凸部を設け該凸部を他方に圧接させることによって、蓋体３が容器本体２に固定されるようにしても良い。
【００１９】
また、蓋体３の天壁３ｂには、容器本体２の開口部よりも開口面積が小さく内部空間Ｓに通じる窓孔３ｄが形成されている。窓孔３ｄは、蓋体３の延出部３ａ１に対応する位置に配置されている。図示の例では、窓孔３ｄはその開口形状が略矩形に形成されているがこれに限らず、円形や楕円形、あるいは多角形としても良い。
【００２０】
この蓋付き容器１はさらに、蓋体３にスライド可能に保持され、該蓋体３の天壁３ｂに沿う進退移動によって上記窓孔３ｄを開閉するスライド蓋５を備えている。
【００２１】
図４に示すように、ここでは、スライド蓋５は、蓋体３に対して着脱自在である。スライド蓋５は、略コ字状の断面形状を有し、すなわち蓋体３の天壁３ｂに対向して延在する天板部５ａとこの天板部５ａの両端から垂下してそれぞれ蓋体３の周壁３ａに対向して延在する二つの側板部５ｂ、５ｃとを有する。
【００２２】
図４および図５（ｂ）に示すように、前面側の側板部５ｂには、蓋体３の周壁３ａと対向する面に該蓋体３と連係してスライド蓋５をスライド可能に保持する、この発明における係合部としての第一の突起５ｄが設けられており、背面側に位置する側板部５ｃには、蓋体３の周壁３ａと対向する面に該蓋体３と連係してスライド蓋５をスライド可能に保持する第二の突起５ｅが設けられている。さらに、スライド蓋５の前面側の側板部５ｂには、蓋体３を開ける際の指掛かりとなる出っ張り５ｆが形成されている。
【００２３】
一方、蓋体３の延出部３ａ１には、スライド蓋５の前面側の側板部５ｂと対向する面に、スライド蓋５の移動する向きに沿って延びるとともに、上記第一の突起５ｄと係合可能な第一の溝３ｅが形成されている。また、スライド蓋５の後面側の側板部５ｃと対向する面には、スライド蓋５の移動する向きに沿って延びるとともに、上記第二の突起５ｅと係合可能な第二の溝３ｆが形成されている（図２および図５（ｂ）参照）。
【００２４】
また、図４に示すように、容器本体２の側壁２ａには、蓋体３を閉じた状態にて第一の溝３ｅと協働して、スライド蓋５の移動する向きに沿って連続した溝空間を画定するとともにスライド蓋５の第一の突起５ｄと係合可能な、この発明における被係合部としての第三の溝２ｅが形成されている。すなわち、蓋体３を閉じた状態では、スライド蓋５の第一の突起５ｄは、第一の溝３ｅと第三の溝２ｅとの間を進退移動可能となる。
【００２５】
かかる実施形態の蓋付き容器１にあっては、容器本体２内の内容物をある程度まとめて取り出す場合には、従来と同様に蓋体３を開放した後に容器本体２自体を傾ければ良く、一方で内容物を少量（例えば一粒ないし数粒）取り出す場合には、蓋体３に設けられたスライド蓋５を天壁３ｂに沿ってスライド移動させることにより窓孔３ｄを開放し、容器１を傾けることで当該窓孔を通じて内容物を取り出すことができる。
【００２６】
したがってこの蓋付き容器１によれば、窓孔３ｄを解放し容器１を傾けるだけで内容物の取出しが可能となるので、簡単かつ素早く少量の取出し作業を行うことができる。また、窓孔３ｄが開放姿勢にある図１（ｂ）の状態では、スライド蓋５の第一の突起５ｄが容器本体２の側壁２ａに位置する第三の溝２ｅと連係して蓋体３の開放を阻止し、反対に窓孔３ｄが閉鎖姿勢にある図１（ａ）の状態では、図３に示すように第一の突起５ｄと第三の溝２ｅとの連係が解除されて、スライド蓋５の出っ張り５ｆを引き上げることで容器本体２の開口部を開放することができるので、すなわち、スライド蓋５によって窓孔３ｄの開閉と蓋体３のロックおよびその解除の両作業を行うことができるので、簡素な構造によって、窓孔３ｄが開いているときに誤って蓋体３が開いてしまうことを防止することができる。
【００２７】
また、使用者がスライド蓋５を操作することにより、スライド蓋５の可動範囲（スライド量）を調整すれば、窓孔３ｄの開口面積も適宜調整することができる。すなわち、スライド蓋５によって窓孔３ｄの開口面積を調整することにより、取出し量の調整を行うことができる。これに関連し、第一の溝３ｅ、第二の溝３ｆおよび第三の溝２ｅの少なくとも一つの溝内に、第一の突起５ｄおよび第二の突起５ｅの少なくとも一方と係合してスライド蓋５を段階的に位置決めする凸部（図示省略）を設けても良い。あるいは、突起５ｄ、５ｅと溝３ｅ、３ｆ、２ｅとを密接に係合させ（圧接させ）、摩擦力により任意の位置でスライド蓋５を位置決めできるようにしても良い。
【００２８】
さらに、この蓋付き容器１によれば、第一の溝３ｅと第三の溝２ｅとが蓋体３を閉じた状態にて連続して延在するものとしたので、係合部としての第一の突起５ｄが、容器本体２の第三の溝２ｅに係合して蓋体３の開放を阻止する機能に加えて、スライド蓋５を蓋体３に対してスライド方向に案内、保持する機能を果たす。すなわち同一の部材（第一の突起５ｄ）によって窓孔３ｄの開閉と蓋体３のロックおよびその解除とを行うことができ、より構造を簡素化することができる。
【００２９】
また、この蓋付き容器１によれば、スライド蓋５に、蓋体３を開ける際の指掛かりとなる出っ張り５ｆを形成したので、スライド蓋５を操作することによって、窓孔３ｄの開閉操作に加えて容器本体２の開口部の開閉操作も行うことができる。
【００３０】
さらに、この蓋付き容器１によれば、窓孔３ｄを蓋体３の天壁３ｂに設けたことから、窓孔３ｄを蓋体３の周壁３ａに形成した場合と比べて、内容物の充填時の嵩を大きく設定することが可能となるので、言い換えれば、同一量の内容物を充填するにあたって容器１の高さを低くできるため、コンパクト化を図ることができる。
【００３１】
以上、図示例に基づき説明したが、この発明は上述の実施形態に限定されるものでなく、特許請求の範囲の記載範囲内で適宜変更することができるものであり、例えば、上記実施形態では、係合部を突起とするとともに被係合部を溝としたがこれらの構成を逆にしても良く、すなわち係合部を溝とするとともに被係合部を突起としても良い。また、窓孔３ｄは、蓋体３の周壁３ａに形成しても良い。さらに、容器本体２の形状も有底円筒形としても良い。
【産業上の利用可能性】
【００３２】
かくしてこの発明によって、内容物を少量取り出す場合であっても、簡単かつ素早く取出し作業を行い得る蓋付き容器を提供することが可能となった。
【符号の説明】
【００３３】
１  蓋付き容器
２  容器本体
２ａ  側壁
２ｂ  底壁
２ｃ  切欠き部
２ｄ  リブ
２ｅ  第三の溝（被係合部）
３  蓋体
３ａ  周壁
３ａ１  延出部
３ｂ  天壁
３ｃ  リブ
３ｄ  窓孔
３ｅ  第一の溝
３ｆ  第二の溝
４  ヒンジ
５  スライド蓋
５ａ  天板部
５ｂ  側板部（前面側）
５ｃ  側板部（背面側）
５ｄ  第一の突起
５ｅ  第二の突起
【図１】
0005467884.tif 000002
【図２】
0005467884.tif 000003
【図３】
0005467884.tif 000004
【図４】
0005467884.tif 000005
【図５】
0005467884.tif 000006